(57)【要約】【課題】ラップフィルムの巻き戻りがなく、上蓋が半開きになっても虫や埃が侵入しないラップフィルムケースを提供する。【解決手段】前部７、後部８、底部９、左側部１０、右側部１１、及び上方に開口する開口部５を有し、開口部からラップフィルムロール６ａを収容するケース本体２と、ケース本体の後部の上端に設けられた上蓋３とを備え、上蓋の前端から延設された前部の先端にケース本体２から引き出されたラップフィルム６を切断する切刃１８を備えたラップフィルムケース１において、ケース本体２と上蓋３の間に開口部５を覆う中蓋４が設けられ、中蓋の後端が後部８の上端と一体に形成され、中蓋４の前縁４ｃと前部７の上端との間にラップフィル６を引き出す隙間２１が設けられている。ラップフィルムロールの両端に、軸部材７２が設けられている。【選択図】図２
2017206281.tif 000002
【特許請求の範囲】
【請求項１】
開口部からラップフィルムロールを収容するケース本体と、前記ケース本体の前記開口部の後縁に設けられた上蓋とを備え、前記上蓋に前記ケース本体から引き出された前記ラップフィルムを切断する切刃を備えたラップフィルムケースにおいて、
前記ケース本体と前記上蓋の間に前記開口部を覆う中蓋が設けられ、前記中蓋の前縁と前記開口部の前縁との間に前記ラップフィルを引き出す隙間が設けられていることを特徴とするラップフィルムケース。
【請求項２】
前記ケース本体の内面に前記ラップフィルムロールの表面を押さえる押さえ片が設けられていることを特徴とする請求項１に記載のラップフィルムケース。
【請求項３】
前記押さえ片は、前記ケース本体の内壁の一部の切り起こし片であることを特徴とする請求項２に記載のラップフィルムケース。
【請求項４】
前記押さえ片は、前記ケース本体の折り曲げ片であることを特徴とする請求項２に記載のラップフィルムケース。
【請求項５】
前記押さえ片は、前記ケース本体の内部に設けられた折り曲げ片であることを特徴とする請求項２に記載のラップフィルムケース。
【請求項６】
前記ラップフィルムロールの両端に、
前記ケース本体内に収容される矩形板状の基部と、
前記基部の中央に設けられ、前記ラップフィルムロールの芯管に挿入される軸部とを有する軸部材が設けられていることを特徴とする請求項２から５のいずれかに記載のラップフィルムケース。
【請求項７】
前記ラップフィルムロールの両端に、
前記ケース本体内に収容される矩形板状の基部と、
前記基部の中央に設けられ、前記ラップフィルムロールの芯管に挿入される軸部と、
前記軸部の外周に放射状に配設された弾性変形可能な複数の羽根とを有する軸部材が設けられ、
前記複数の羽根は、先端を通る径が前記ラップフィルムロールの前記芯管の内径より大きく、前記ラップフィルムロールの芯管に挿入された状態で弾性変形して撓み、前記複数の羽根の先端が前記ラップフィルムロールの前記芯管の内面に圧接していることを特徴とする請求項１に記載のラップフィルムケース。
【請求項８】
前記ケース本体の底部に凹んだ形を有する手掛け部が設けられていることを特徴とする請求項１から７のいずれかに記載のラップフィルムケース。
【請求項９】
前記切刃は、前記上蓋の先端に固着される基部と、前記基部の両端部に前記基部から屈曲し、前記上蓋を閉じた状態で前記ケース本体に向かって突出する突出部とを有することを特徴とする請求項１から８のいずれかに記載のラップフィルムケース。
【請求項１０】
前記中蓋は内壁と外壁の２重壁からなることを特徴とする請求項１から９のいずれかに記載のラップフィルムケース。
【請求項１１】
前記中蓋の前縁は、前記内壁と外壁の間の折り返し端であることを特徴とする請求項１０に記載のラップフィルムケース。
【請求項１２】
前記中蓋は、前記ケース本体と一体に形成されていることを特徴とする請求項１から１１のいずれかに記載のラップフィルムケース。
【請求項１３】
前記上蓋は、前記ケース本体と一体に形成されていることを特徴とする請求項１から１２のいずれかに記載のラップフィルムケース。
【請求項１４】
前記上蓋は、後端縁に背壁片を有し、前記背壁片は前記ケース本体の後部の外面に貼り付けられていることを特徴とする請求項１から１２のいずれかに記載のラップフィルムケース。
【請求項１５】
前記上蓋は、後端縁に外箱体を有し、前記外箱体は前記ケース本体を収容していることを特徴とする請求項１から１２のいずれかに記載のラップフィルムケース。
【発明の詳細な説明】
【技術分野】
【０００１】
本発明はラップフィルムケースに関する。
【背景技術】
【０００２】
従来、皿等に盛られた食品を包装するのに使用されるロール状のラップフィルムを収容したラップフィルムケースは、以下の多くの問題を有する。
【０００３】
（１）ラップフィルムが巻き戻りしてロールに付着し、端を引き出すのが困難になる。また、ラップフィルムをケースに装着するときに引き出したラップフィルムがラップフィルムロールに付着したり、ラップフィルムロールを引き出すときに裂けて修復に多大な時間がかかることがあった。
【０００４】
（２）切刃を有する上蓋は半開きになることが多いため、ゴキブリ、コバエ、蟻等の虫や埃が侵入しやすく、不衛生である。また、埃や油を含む蒸気が侵入して、ラップフィルムが劣化し、粘着力が低下する。さらに、ラップフィルムを引き出すときにラップフィルムロールがケース本体から飛び出し、ラップフィルムが巻き付くことがあった。
【０００５】
（３）ラップフィルムケースが紙製で薄いため、調理中の濡れた手でケースにふれると、ケース本体が湿り、破れたり、乾燥後に変形することがあった。
本体の開口部の前縁にあるフラップは、ラップフィルムをつまみやすくするために先端が波形に形成されたり、上面にラップフィルムを付着させるための粘着剤がコーティングされているが、ラップフィルムを押し返す力が弱いため、その機能が十分でない。
【０００６】
（４）ケース本体や上蓋の外面は、使用方法や注意事項がこと細かく表示され、審美性に欠ける。
【０００７】
（５）ラップフィルムロールとラップフィルムケースの間の隙間に余裕があるため、ラップフィルムを引き出すときにカタカタと音がするうえ、ラップフィルムをスムーズに引き出せない。
【０００８】
（６）使用開始時に、ユーザ自身がラップフィルムロールの先端を摘んで引き出さなくてはならず、非常の面倒であり、先端が裂けて引き出しに失敗することが多い。
【０００９】
（７）ラップフィルムケースは女性にとっては大きすぎるので、特に蓋を引き上げながらラップフィルムを引き出す際に、手から滑り落ちることがある。
【００１０】
これらの問題のうち、ラップフィルムの巻き戻りの問題を解決するため、従来種々の構造が種々提案されている。例えば、ケースの正面部にラップフィルムを保持する層を塗布するもの（特許文献１）、ケース側に設けた係合溝とラップフィルムロール側に設けた爪とを係合させるもの（特許文献２）、ケース本体にケース本体の前部中央にラップフィルムの先端を引き出すスリットを設けたもの（特許文献３）、ケース本体の内部にラップフィルムロールを押さえる押さえ部材を設けたもの（特許文献４，５，６）、ケース本体の内部に斜面を設けたもの（特許文献７）等があるが、巻き戻り防止機能は十分でない。
【００１１】
ラップフィルムが巻き戻る原因は、ラップフィルムケース内でのラップフィルムロールの移動（ガタつき）、引き出されたラップフィルムとフラップの接着不足、ラップフィルムを切断後にラップフィルムケースの上蓋を上げた時にラップフィルムが上蓋に付着して上蓋とともに持ち上がる等の構造的要因のほか、引き出されたラップフィルムとラップフィルムロールとの間の静電気や、ファンデルワールズ力、重力が考えられるが、従来のラップフィルムケースはこれらの原因を総合的に考慮して対処したものではない。
【００１２】
他の問題については、何ら解決がなされていないのが現状である。
【先行技術文献】
【特許文献】
【００１３】
【特許文献１】特開２００５−２１２８９４号
【特許文献２】特開２００４−２７６９１５号
【特許文献３】特開２００８−２９６９９３号
【特許文献４】特開平８−１６９４４１号
【特許文献５】特開２０１４−９１５７６号
【特許文献６】特開２０１２−２０１４１６号
【特許文献７】特開２００９−２６９６４２号
【発明の概要】
【発明が解決しようとする課題】
【００１４】
本発明は、従来のラップフィルムケースの問題点に鑑みてなされたもので、ラップフィルムの巻き戻りがないラップフィルムケース、上蓋が半開きになっても虫や埃が侵入しないラップフィルムケース、湿気に強く、破れたり変形することがないラップフィルムケース、ケース本体や上蓋の外面への表示を簡潔に行い、審美性のあるデザインを行えるフィルムケース、ラップフィルムを引き出しやすいラップフィルムケース、ラップフィルムを引き出すときに異音が生じないラップフィルムケース、使用開始時にラップフィルムをセットする必要がないラップフィルムケース、女性の小さな手でも把持し易いラップフィルムケースを提供することを課題とする。
【課題を解決するための手段】
【００１５】
以上の課題を解決するための手段として、本発明は、
（１）開口部からラップフィルムロールを収容するケース本体と、前記ケース本体の前記開口部の後縁に設けられた上蓋とを備え、前記上蓋に前記ケース本体から引き出された前記ラップフィルムを切断する切刃を備えたラップフィルムケースにおいて、
前記ケース本体と前記上蓋の間に前記開口部を覆う中蓋が設けられ、前記中蓋の前縁と前記開口部の前縁との間に前記ラップフィルを引き出す隙間が設けられている。
【００１６】
本発明では、ケース本体と上蓋の間に開口部を覆う中蓋を設けたので、上蓋が半開きになっても虫や埃が侵入しない。
また、中蓋の前縁と開口部の前縁との間の隙間からラップフィルが引き出されているので、使用開始時にラップフィルムをセットする必要がない。
また、従来ケース本体や上蓋の外面に行ってきた使用方法や注意事項などの表示を中蓋の外面に行えるので、従来ケース本体や上蓋の外面の表示が簡素になり、審美性のあるデザインを行える。
また、中蓋の前縁と開口部の前縁との間にラップフィルを引き出す隙間を有するので、ラップフィルムが偏ったり、しわが寄ることなく、スムーズに引き出せる。
さらに、中蓋の存在により、ラップフィルムケースの剛性が高くなるので、湿気により破れたり、変形しにくい。
【００１７】
（２）前記ケース本体の内面に前記ラップフィルムロールの表面を押さえる押さえ片が設けられている。
これにより、ロール状のラップフィルムの表面が押さえられるので、ラップフィルムが巻き戻らないうえ、ラップフィルムを引き出すときに異音が生じない。
【００１８】
（３）前記押さえ片は、前記ケース本体の内壁の一部の切り起こし片である。
これにより、切り起こし片が戻ろうとする力によりロール状のラップフィルムの表面を押さえるので、ラップフィルムが巻き戻るのを確実に防止できる。
（４）前記押さえ片は、前記ケース本体の折り曲げ片でもよい。
（５）前記押さえ片は、前記ケース本体の内部に設けられた折り曲げ片でもよい。
（６）前記ラップフィルムロールの両端に、
前記ケース本体内に収容される矩形板状の基部と、
前記基部の中央に設けられ、前記ラップフィルムロールの芯管に挿入される軸部とを有する軸部材が設けられていてもよい。
【００１９】
（７）前記ラップフィルムロールの両端に、
前記ケース本体内に収容される矩形板状の基部と、
前記基部の中央に設けられ、前記ラップフィルムロールの芯管に挿入される軸部と、
前記軸部の外周に放射状に配設された弾性変形可能な複数の羽根とを有する軸部材が設けられ、
前記複数の羽根は、先端を通る径が前記ラップフィルムロールの前記芯管の内径より大きく、前記ラップフィルムロールの芯管に挿入された状態で弾性変形して撓み、前記複数の羽根の先端が前記ラップフィルムロールの前記芯管の内面に圧接している。
これにより、ラップフィルムロールは、ラップフィルムが引き出される方向には回転するが、ラップフィルムが巻き戻される方向には回転しないので、ラップフィルムが巻き戻るのを確実に防止できる。
【００２０】
（８）前記ケース本体の底部に凹んだ形を有する手掛け部が設けられている。
これにより、ケース本体を持つ手の指先を手掛け部に引っ掛けることで、女性の小さな手でも把持し易すく、手から滑り落ちることもない。
手掛け部は、ケース本体の底部と後部の角の近傍に設けられている。手掛け部は、ケース本体の内側に向かって断面が三角形状に凹んだ形を有することが好ましい。具体的には、手掛け部は、底部と後部の角からケース本体の内側に向かって後部と平行に延びる垂直面と、該垂直面の上端からケース本体の外側に向かって斜めに延びる傾斜面とを有する。手掛け部は、ケース本体の内側に向かって断面が円弧状に凹んだ形を有していてもよい。具体的には、手掛け部は、底部と後部の角からケース本体の内側に向かって凹んで底部に接続する円弧面を有する。
【００２１】
（９）  前記切刃は、前記上蓋の先端に固着される基部と、前記基部の両端部に前記基部から屈曲し、前記上蓋を閉じた状態で前記ケース本体に向かって突出する突出部とを有する。
これにより、切刃の幅方向中央部を押してラップフィルムを切り離すとき、切刃が下向きの凸に撓み、中央部の押圧力が両端部に分散され、突出部がケース本体に押し付けられる。この結果、突出部とケース本体との間のラップフィルムは、ラップフィルムの端から切り始めても、ラップフィルムの側端が幅方向中央部に寄せられて皺になったり、切刃以外の箇所で引き裂かれることが防止され、確実に切り離すことができる。
【００２２】
（１０）前記中蓋は内壁と外壁の２重壁からなる。
これにより、ラップフィルムケースの剛性がさらに高くなり、耐久性がある。
また、中蓋の前縁と開口部の前縁との間のラップフィルを引き出す隙間が開きにくく、ラップフィルムを引き出すときにラップフィルムが裂けたり、しわが重なるのを防止できる。
【００２３】
（１１）前記中蓋の前縁は、前記内壁と外壁の間の折り返し端である。
これにより、中蓋の前縁の剛性が高くなり、ラップフィルムケースの剛性がさらに高くなるとともに、中蓋の前縁と開口部の前縁との間の隙間でのラップフィルムの滑りがよくなり、ラップフィルムをスムーズに引き出せる。
【００２４】
（１２）前記中蓋は、前記ケース本体と一体に形成されている。これにより、ラップフィルムケースの剛性がさらに高くなり、耐久性がさらに向上する。
【００２５】
（１３）前記上蓋は、前記ケース本体と一体に形成されていることが好ましい。これにより、上蓋をケース本体と同時に製造することができる。
（１４）前記上蓋は、後端縁に背壁片を有し、前記背壁片は前記ケース本体の後部の外面に貼り付けられていてもよい。これにより、ケース本体の後部の剛性を高めることができるとともに、上蓋の付け根を堅牢にすることができる。
（１５）前記上蓋は、後端縁に外箱体を有し、前記外箱体は前記ケース本体を収容している。これにより、ラップフィルムケースは２重構造となり、堅牢で、酷使に耐えることができる。また、外箱体をケース本体と異なる材料にし、手触りや耐水性を良くすることができる。
【発明の効果】
【００２６】
本発明によれば、ラップフィルムの巻き戻りがないので、安心して使用できる。また、上蓋が半開きになっても虫や埃が侵入しないので、衛生的である。また、湿気に強く、破れたり変形することがなく、堅牢である。さらに、ラップフィルムを引き出しやすく、必要長さに素早く切断して、食品を迅速に包装できる。また、中蓋の上面に使用方法や注意事項等の雑多な表示を行えるので、ケース本体や上蓋の外面への表示を簡潔に行い、審美性のあるデザインを行える。さらに、押さえ片によりラップフィルムが押さえられているので、ラップフィルムを引き出すときに異音が生じない。また、中蓋と開口部の前縁の間からラップフィルムが引き出されているので、使用開始時にラップフィルムをセットする必要がない。さらには、手掛け部があるため、女性の小さな手でも把持し易い等の優れた効果を有している。
【図面の簡単な説明】
【００２７】
【図１】本発明の第１実施形態のラップフィルムケースの斜視図。
【図２】図１のラップフィルムケースの断面図。
【図３】図１のラップフィルムケースの展開図。
【図４】図１のラップフィルムケースの組立状態を示す斜視図。
【図５】図１の第１実施形態のラップフィルムケースの変形例を示す断面図。
【図５Ａ】図５の手掛け部の変形例（ａ）及び他の変形例（ｂ）を示す部分断面図。
【図６】図５のラップフィルムケースの底部の手掛け部を示す斜視図。
【図６Ａ】図１の第１実施形態のラップフィルムケースの他の変形例を示す断面図。
【図７】図５のラップフィルムケースの展開図。
【図７Ａ】図６Ａのラップフィルムケースの展開図。
【図８】本発明の第２実施形態のラップフィルムケースの断面図。
【図９】図８の第２実施形態のラップフィルムケースの変形例を示す断面図。
【図１０】図８のラップフィルムケースの外蓋の展開図。
【図１１】図８のラップフィルムケースのケース本体の展開図。
【図１２】図８のラップフィルムケースの組立状態を示す斜視図。
【図１３】本発明の第３実施形態のラップフィルムケースの断面図。
【図１４】図１３の第３実施形態のラップフィルムケースの変形例を示す断面図。
【図１５】図１３のラップフィルムケースの外蓋の展開図。
【図１６】図１３のラップフィルムケースのケース本体の展開図。
【図１７】図１３のラップフィルムケースの組立状態を示す斜視図。
【図１８】押さえ片をケース本体の奥上に設けた変形例を示す断面図。
【図１９】押さえ片をケース本体の奥下に設けた変形例を示す断面図。
【図２０】押さえ片をケース本体の前上に設けた変形例を示す断面図。
【図２１】押さえ片をケース本体の前下に設けた変形例を示す断面図。
【図２２】本発明の第４実施形態のラップフィルムケースの断面図。
【図２３】図２２のラップフィルムケースの底部の手掛け部を示す斜視図。
【図２４】図２２の第４実施形態のラップフィルムケースの変形例を示す断面図。
【図２５】本発明の第５実施形態のラップフィルムケースの初期状態の断面図（ａ）、ラップフィルム消耗時の断面図（ｂ）。
【図２６】押さえ部材の押さえ幅を説明する説明図。
【図２７】図２５のラップフィルムケースの展開図。
【図２８】本発明の第６実施形態のラップフィルムケースの分解斜視図。
【図２９】軸部材の変形例を示す斜視図。
【図３０】軸部材の他の変形例を示す斜視図。
【図３１】図３０の軸部材の正面図。
【図３２】図３０の軸部材をラップフィルムロールの芯管に挿入した状態を示す断面図。
【図３３】図３２の軸部材の変形例を示す断面図。
【図３４】中蓋に窓孔を設けたラップフィルムケースの斜視図。
【図３５】中蓋に差し込み片を設けたラップフィルムケースの斜視図。
【図３６】切刃に突出部を設けたラップフィルムケースの斜視図（ａ）、及びその一部拡大図（ｂ）。
【図３７】図３６のラップフィルムケースの部分破断側面図。
【図３８】切刃の突出部の折り曲げ前の正面図（ａ）、突出部の折り曲げ後の正面図（ｂ）。
【図３９】図３６のラップフィルムケースの切刃によるラップフィルムの切り離し状況を示す斜視図。
【図４０】切刃の押圧前の底面図（ａ）、切刃の押圧後の底面図（ｂ）。
【図４１】従来のラップフィルムケースの切刃によるラップフィルムの切り離し状況を示す斜視図。
【発明を実施するための形態】
【００２８】
次に、本発明の実施形態を添付図面に従って説明する。
＜第１実施形態＞
図１は本発明の第１実施形態のラップフィルムケース１を示す。以下の説明において、ラップフィルムケース１のラップフィルムが引き出される側を「前」又は「手前」といい、ラップフィルムが引き出される側と反対側を「後」、「背」又は「奥」という。
【００２９】
ラップフィルムケース１は、紙製で、ケース本体２と、上蓋３と、中蓋４とからなっている。
【００３０】
ケース本体２は、上方に開口する開口部５を有する横長の箱状に形成され、開口部５からラップフィルム６をロール状に巻いたラップフィルムロール６ａが収容されている。図２に示すように、ケース本体２の前部７、後部８、底部９は２重壁で形成されている。左側部１０、右側部１１は１重壁であるが、後述する中蓋４の左側部１９と右側部２０を含めると２重壁となる。
【００３１】
ケース本体２の前部７の外壁７ａには、開口部５の前縁５ａから斜め下前方に延びるフラップ１２が設けられている。開口部５の前縁５ａは、前部７の外壁７ａと内壁７ｂの折り返し端である。フラップ１２は、前部７の外壁７ａを形成する部分を切り起こすことによって形成され、折り返し端で戻ろうとする力で前部７から離間している。
【００３２】
ケース本体２の底部９の内壁９ｂには、ラップフィルムロール６ａの外面を押さえる押さえ片１３が設けられている。押さえ片１３は、底部９の内壁９ｂを形成する部分を切り起こして後方に向かって倒すことによって形成され、押さえ片１３が元の位置に戻ろうとする力により、ラップフィルムロール６ａを奥側の下から斜め上に向かって押さえて、ラップフィル６が巻き戻るのを防止する機能を有する。
【００３３】
上蓋３は、上部１４、前部１５、左側部１６及び右側部１６で構成されている。上部１４の後端はケース本体２の開口部５の後縁、すなわち、ケース本体２の後部８の上端と一体になっている。前部１５の先端にはラップフィルム６を切断する切刃１８が設けられている。
【００３４】
中蓋４は、ケース本体２と上蓋３の間に、ケース本体２の開口部５を覆うように設けられている。中蓋４は、図４に示すように、左側部１９と右側部２０を有している。中蓋４は２重壁で形成され、左側部１９と右側部２０は１重壁である。中蓋４の前縁４ｃは外壁４ａと内壁４ｂの折り返し端である。中蓋４の後端はケース本体２の開口部５の後縁、すなわち、後部８の上端と一体になっている。中蓋４の前縁４ｃと開口部５の前縁５ａとの間には、ラップフィル６を引き出す隙間２１が設けられている。
【００３５】
ラップフィルムケース１は、図３の展開図に示すブランク１Ａから、折り曲げ加工により、ケース本体２、上蓋３及び中蓋４を一体に同時に製造することができる。ラップフィルムケース１のブランク１Ａは、図３において上から下に向かって、上蓋３の前部１５、上部１４、ケース本体２の後部８の外壁８ａ、底部９の外壁９ａ、前部７の外壁７ａ、前部７の内壁７ｂ、底部９の内壁９ｂ、後部８の内壁８ｂ、中蓋４の内壁４ｂ、中蓋４の外壁４ａが形成されている。上蓋３の前部１５の前端には図示しない切刃とジッパーが延設される。上蓋３の前部１５の両端には糊代２２ａ、２２ｂが設けられている。上蓋の上部の両端には左側部１６と右側部１７が設けられている。底部９の外壁９ａの両側には左側部１０及び右側部１１が形成されている。前部７の外壁７ａには、外壁７ａと内壁７ｂの間の罫線から始まる台形状の切り込み線によって組立時に切り起こされる２つのフラップ１２が形成されている。前部７の内壁７ｂ、底部９の内壁９ｂ、後部８の内壁８ｂのそれぞれの両端に、糊代２３ａ，２３ｂ、２４ａ，２４ｂ、２５ａ，２５ｂが設けられている。底部９の内壁９ｂには切り込み線と罫線により組立時に切り起こされる押さえ片１３が設けられている。押さえ片１３は、左右方向の全幅にわたって設ける必要はなく、中央に部分的に設けられている。中蓋４の外壁４ａの両端には左側部１９と右側部２０が設けられている。左側部１９と右側部２０には、中蓋４の外壁４ａとの間の罫線から始まる台形状の切り込み線によって係合片２６ａ，２６ｂが設けられている。ブランク１Ａを折り曲げ加工し、適宜糊付けすることで、ラップフィルムケース１を組み立てることができる。
【００３６】
図４は、ラップフィルムロール6ａを収納するときの状況を示す。ラップフィルムケース１の上蓋３と中蓋４を開いた状態で、ラップフィルムロール6ａをケース本体２の内部に収容する。このとき、ケース本体２の底部９の内壁９ｂの押さえ片１３を切り起こして、押さえ片１３にラップフィルムロール６ａが当接するようにする。また、ラップフィルムロール６ａからラップフィルム６の先端を引き出しておく。次に中蓋４を閉じ、中蓋４の左側部１９と右側部２０をケース本体２の左側部１０と右側部１１に糊付けする。中蓋４を閉じることで、中蓋４の前縁４ｃと開口部５の前縁５ａ、すなわち、前部７の上端との間の隙間２１からラップフィル６が引き出された状態となる。ラップフィルム６の引き出し長さは、上蓋３を閉じたときに上蓋３の前部１５の先端から出ない長さとする。続いて、上蓋３を閉じ、上蓋３の前部１５の先端に設けた図示しないジッパーをケース本体２の前部７の外壁７ａに接着する。なお、係合片２６ａ、２６ｂは、図４に示すように、上蓋３を閉じたときに、上蓋３の糊代２２ａ、２２ｂの縁２２ａ´、２２ｂ´に係合して上蓋３を一時的にロックする役割を果たす。
【００３７】
このように、ラップフィルムロール６が収容されたラップフィルムケース１を使用するには、まず、上蓋３の図示しないジッパーを剥がして、上蓋３をわずかに開くと、図１に示すように、ラップフィルム６の先端が中蓋４の前縁４ｃと開口部５の前縁５ａ、すなわち、前部７の上端との間の隙間２１からラップフィル６が引き出された状態となっているので、２つのフラップ１２の間でラップフィルム６の先端を摘んで引き出す。ラップフィルム６の切断及び食品等への包装の要領は従来と同様である。
【００３８】
本実施形態のラップフィルムケース１は、既にラップフィル６が引き出された状態となっているので、使用開始時に従来のようにラップフィルムロール６ａを取り出し、ラップフィルム６の先端を引き出してセットする必要がない。また、使用開始時のラップフィルムは、先端が摘まむのに十分な長さで引き出されているので、引き出し時に裂けて修復が煩わしくなるといった不具合は生じない。
【００３９】
使用中、中蓋４は開く必要がないので、開かないように固定することが好ましい。中蓋４の存在により、ケース本体２内はほぼ密閉状態になっているため、上蓋３が半開きになってもケース本体２の内部に虫や埃が侵入しないし、ラップフィルムの劣化もない。また、ラップフィルムケース１は２重壁構造と中蓋４の存在により、剛性が高くなっているので、湿気により破れたり、変形しにくい。
【００４０】
中蓋４の外壁４ａ、すなわち、上面は、上蓋３を開いたときにユーザの目に触れるので、使用方法や注意事項の表示をしたり、広告媒体として使用できる。すなわち、中蓋４の上面に、使用方法や注意事項、あるいは商品広告、懸賞（当たりくじ）等を印刷しておくことができ、その分、ケース本体２や上蓋３の外面の表示を簡素にし、従来にない斬新で審美性のある模様やキャラクター等のデザインを施すことができる。そもそも、本発明のラップフィルムケースは、ラップフィルムの巻き戻りがないし、使用開始時にラップフィルムをセットする必要がないので、ラップフィルムの装着方法、ラップフィルムが巻き戻った時の対処方法、注意事項を表示する必要がない
【００４１】
ラップフィルム６は、以下に詳述するように巻き戻りがないのでフラップ１２に粘着層を塗布する必要がないことから、ラップフィルム６はフラップ１２上を滑りやすい。また、ケース本体２内でのラップフィルムロール６の移動がない。さらに、ラップフィルム６は中蓋３の前縁４ｃと開口部５の前縁５ａとの間の隙間２１から引き出される。これらのことから、ラップフィルム６は、偏ったり、しわが寄ることなく、スムーズに引き出せる。
【００４２】
ラップフィルムロール６ａは、ケース本体２内で押さえ片１３によって常に押さえられ、前部７の内壁７ｂに接触した状態になっている。従来のラップフィルムケース１では、ラップフィルム６を切断した後、ラップフィルムケース１の回転や移動に伴って、ラップフィルムロール６ａがケース本体２内で移動し、ラップフィルム６の先端が巻き戻って内部に入り、ラップフィルムロール６ａに付着することがあり、このために先端を見つけて引き出す作業が煩雑で時間がかかっていた。また、ラップフィルム６の使用につれてラップフィルムロール６ａの径が小さくなると、ラップフィルムロール６ａのケース本体２内での移動量が大きくなり、使用中にカタカタという異音が発生していた。本発明の実施形態では、ラップフィルムロール６ａは図２に示すように、押さえ片１３によって押さえられているので、ケース本体２内での移動が阻止されている。このため、ラップフィルム６を切断した後、ユーザの手の動きによりラップフィルムケース１が回転したり移動しても、これに伴って内部のラップフィルムロール６ａが移動することが阻止される。したがって、ラップフィルム６が巻き戻らないうえ、ラップフィルム６を引き出すときに異音が生じない。
【００４３】
押さえ片１３は、図２に示すように、ケース本体２の内壁の一部（図２では底部９の内壁９ｂ）の切り起こし片であるため、押さえ片１３が戻ろうとする矢印方向の力により、ラップフィルムロール６ａの表面を押さえるので、ラップフィルム６が巻き戻るのを確実に防止できる。
【００４４】
押さえ片１３の位置は、後に詳細に説明するように、ケース本体２内のいずれの箇所に設けてもよい。また、押さえ片１３は、必ずしも切り起こし片でなくてもよい。展開状態のブランク１Ａの先端を折り曲げた折り曲げ片でもよい。また、押さえ片１３は、ケース本体１の内部に設けられた別部材の折り曲げ片でもよい。
【００４５】
中蓋４は、外壁４ａと内壁４ｂの２重壁からなるので、ラップフィルムケース１の剛性がさらに高くなり、耐久性がある。また、中蓋４の前縁４ｃと開口部５の前縁５ｂとの間のラップフィルム６を引き出す隙間２１が開きにくく、ラップフィルムケース１の長手方向に均一な隙間を形成することができる、このため、ラップフィルム６を引き出すときにラップフィルム６が裂けたり、しわが重なるのを防止できる。
【００４６】
中蓋４の前縁４ｃは、図２の拡大図に示すように、外壁４ａと内壁ｂの間の折り返し端であり、また、ケース本体２の開口部５の前縁５ａ、すなわち、前部７の上端も、外壁７ａと内壁７ｂの間の折り返し端で形成されている。このため、中蓋４の前縁４ｃの剛性が高くなり、ラップフィルムケース１の剛性がさらに高くなるとともに、中蓋４の前縁４ｃと開口部５の前縁５ａとの間の隙間２１でのラップフィルム６の滑りがよくなり、ラップフィルム６をスムーズに引き出せる。
【００４７】
図５は、図１−４を参照して説明した第１実施形態の変形例のラップフィルムケース１´である。このラップフィルムケース１´は、ケース本体２の底部９に手掛け部２７を設けたものである。
【００４８】
手掛け部２７は、底部９と後部８の角の近傍に、内側に向かって断面が三角形状に凹んだ形を有する。すなわち、手掛け部２７は、底部９と後部８の角からケース本体２の内側に向かって後部８と平行に延びる垂直面２７ａと、該垂直面２７の上端からケース本体２の外側に向かって斜めに延びて底部９と接続する傾斜面２７ｂとを有する。手掛け部２７は、ケース本体２の底部９の外壁９ａ及び内壁９ｂの一部を、ケース本体２の後部８と重なるように、ケース本体２の内方に折り曲げることにより形成されている。このため、図６に示すように、ケース本体２を持つ手の指先を手掛け部２７に引っ掛けることで、女性の小さな手でも把持し易すく、手から滑り落ちることもない。
【００４９】
ラップフィルムケース１´は、図７の展開図に示すブランク１´Ａから、折り曲げ加工により、ケース本体２、上蓋３及び中蓋４を一体に同時に製造することができる。ラップフィルムケース１´のブランク１´Ａは、下記以外は、図３に示すラップフィルムケース１のブランク１Ａと基本的に同一である。底部９の外壁９ａに手掛け部２７を形成するために、外壁９ａに垂直外壁９ｃと傾斜外壁９ｄが設けられている。同様に、底部９の内壁９ｂに手掛け部２７を形成するために、垂直内壁９ｅと傾斜内壁９ｆが設けられている。左側部１０と右側部１１は後部８の外壁８ａの両側に設けられている。また、糊代２３ａ，２３ｂ、２４ａ，２４ｂ、２５ａ，２５ｂは、底部９の傾斜外壁９ｄ、底部９の外壁９ａ、前部７の外壁７ａに設けられている。
【００５０】
手掛け部２７は、図５Ａ（ａ）に示すように、内壁９ｂの一部をケース本体２の内方に折り曲げて断面が三角形状に凹んだ形にするとともに、外壁９ａに設けた折込み片２７ｃを手掛け部２７内に折り込むようにしてもよい。また、図５Ａ（ｂ）に示すように、底部９の内壁９ｂは、後部８の外壁８ａから底部９の垂直外壁９ｃへの折り返し部に挟み込むことなく、後部８の内壁８ｂに繋がるようにしてもよい。
【００５１】
図６Ａに示すラップフィルムケース１"は、手掛け部２７を構成する後部８の下端と底部９の垂直外壁９ｃの下端とに、湾曲した切り欠き２７ｄを設けることにより、手が掛かかり易くしたものである。この切り欠き２７ｄは、図７Ａの展開図に示すブランク１"Ａの、後部８の外壁８ａと底部９の垂直外壁９ｃの間の罫線に、両凸レンズの断面のような形状の孔２８を設けることにより形成することができる。
【００５２】
＜第２実施形態＞
図８は、本発明の第２実施形態のラップフィルムケース３１を示す。このラップフィルムケース３１の上蓋３は、上部１４の後端縁に背壁片３２を有する。背壁片３２は、ケース本体２の後部８の外面に貼り付けられてケース本体２と一体になる。ケース本体２は底部９と後部８が１重構造である。ケース本体２の後部９は上蓋３の背壁片３２が張り合わされて２重構造となる。中蓋４は、外壁４ａと内壁４ｂの２重構造である。押さえ片１３は、１重構造の底部９には形成できないため、後部８を形成する部分を切り起こして上方に向かって倒すことによって形成されている。
【００５３】
ラップフィルムケース３１の上蓋３と、ケース本体２及び中蓋３は、別体に形成される。上蓋３は図１０の展開図に示すブランク３１Ａから折り曲げにより製造される。ブランク３１Ａは、上蓋３の前部１５、上部１４及び背壁片３２からなる。一方、ケース本体２及び中蓋３は、図１１の展開図に示すブランク３１Ｂから折り曲げにより製造される。ブランク３１Ｂは、前部７の内壁７ｂ、前部７の外壁７ａ、底部９、後部８、中蓋４の外壁４ａ、中蓋４の内壁４ｂからなる。付属部分の構成は、図３と同様であるため、同一符号を付して説明を省略する。
【００５４】
第２実施形態のラップフィルムケース３１の組立は、図１２に示すように、上蓋３とケース本体２及び中蓋３を別箇に製造した後、上蓋３の背壁片３２をケース本体２の後部８に貼り付ける以外は、第１実施形態と同様である。また、第２実施形態のラップフィルムケース３１の使用方法及び作用は、第１実施形態と同様であるため、説明を省略する。
【００５５】
図９は、図８，１０−１２を参照して説明した第２実施形態の変形例のラップフィルムケース３１´である。このラップフィルムケース３１´は、ケース本体２の底部９に手掛け部２７を設けたものである。手掛け部２７の構成及び作用は、図５に示すものと同様であるため、説明を省略する。
【００５６】
＜第３実施形態＞
図１３は、本発明の第３実施形態のラップフィルムケース４１を示す。このラップフィルムケース４１の上蓋３は、後端縁に外箱体４２を有する。外箱体４２は、前部４３、後部４４、底部４５、左側部４６及び右側部４７からなる。外箱体４２は、ケース本体２を収容して、ケース本体２と一体となる。ケース本体２は、前部７と、底部９と、後部８が１重構造であるが、上蓋３の外箱体４２の前部４３、底部４５、後部４４と重なって２重構造となる。中蓋４は、外壁４ａと内壁４ｂの２重構造である。押さえ片１３は、ケース本体２の底部９を形成する部分を切り起こして後方に向かって倒すことによって形成されている。
【００５７】
ラップフィルムケース４１の上蓋３及び外箱体４２と、ケース本体２及び中蓋３とは別体に形成される。上蓋３及び外箱体４２は、図１５の展開図に示すブランク４１Ａから折り曲げにより製造される。ブランク４１Ａは、上蓋３の前部１５、上部１４、外箱体４２の後部４４、底部４５、前部４３及びフラップ１２からなる。後部４４、前部４３の両端には、糊代４８ａ，４８ｂ、４９ａ，４９ｂが設けられている。一方、ケース本体２及び中蓋３は、図１６の展開図に示すブランク４１Ｂから折り曲げにより製造される。ブランク４２Ｂは、中蓋４の内壁４ｂ、外壁４ａ、ケース本体２の後部８、底部９、前部７からなる。付属部分の構成は図３と同様であるため、同一符号を付して説明を省略する。
【００５８】
第３実施形態のラップフィルムケース４１の組立は、図１７に示すように、上蓋３及び外箱体４２と、ケース本体２及び中蓋４とを別箇に製造した後、上蓋３の外箱体４２にケース本体２を収容する以外は、第１実施形態と同様である。また、第３実施形態のラップフィルムケース４１の使用方法及び作用は、第１実施形態と同様であるため、説明を省略する。
【００５９】
図１４は、図１３，１５−１７を参照して説明した第３実施形態の変形例のラップフィルムケース４１´である。このラップフィルムケース４１´は、ケース本体２の底部９に手掛け部２７を設けたものである。手掛け部２７の構成及び作用は、図５に示すものと同様であるため、説明を省略する。
【００６０】
＜押さえ片の取り付け位置＞
第１実施形態、第２実施形態、第３実施形態におけるケース本体２の押さえ片１３は、ケース本体２の内部の任意の箇所に設けることができる。以下、第２実施形態の変形例のラップフィルムケース３１´を例にして具体的に説明する。
【００６１】
図１８は、押さえ片１３を奥上側に設けたラップフィルムケース３１´である。図１８（ａ）の押さえ片１３は、中蓋４の内壁４ｂの後端からレ形に折り曲げられた折曲げ片である。図１８（ｂ）の押さえ片１３は、中蓋４の内壁４ｂから切り起こされ、後方に倒されて形成されている。これらの押さえ片１３は、ラップフィルムロール6ａを斜め下、前方に押さえている。
【００６２】
図１９は、押さえ片１３を奥下側に設けたラップフィルムケース３１´である。図１９（ａ）の押さえ片１３は、ケース本体２の底部９の奥下隅部にレ形に折り曲げた折り曲げ部材である。図１９（ｂ）の押さえ片１３は、ケース本体２の後部８の内壁８ｂから切り起こされ、下方に倒されて形成されている。これらの押さえ片１３は、ラップフィルムロール６ａを斜め上、前方に押さえている。
【００６３】
図２０は、押さえ片１３を手前上側に設けたラップフィルムケース３１´である。図２０（ａ）の押さえ片１３は、ケース本体２の前部７の内壁７ｂから切起こされ、上方に倒されて形成されている。図２０（ｂ）の押さえ片１３は、中蓋４の内壁４ｂから切り起こされ、前方に倒されて形成されている。これらの押さえ片１３は、ラップフィルムロール６ａを斜め下、後方に押さえている。
【００６４】
図２１は、押さえ片１３を手前下側に設けたラップフィルムケース３１´である。図２１（ａ）の押さえ片１３は、ケース本体２の前部７の内壁７ｂの下端からレ形に折り曲げられた折曲げ片である。図２１（ｂ）の押さえ片１３は、ケース本体２の前部７の内壁７ｂから切り起こされ、下方に倒されて形成されている。これらの押さえ片１３は、ラップフィルムロール６ａを斜め上、後方に押さえている。
【００６５】
＜第４実施形態＞
以上の実施形態のラップフィルムケース１、１´、３１、３１´、４１、４１´は、紙製であるが、本発明のラップフィルムケースは紙製に限らず、プラスチックで形成することができる。図２２は、本発明の第４実施形態のプラスチック製のラップフィルムケース５１である。
【００６６】
ラップフィルムケース５１のケース本体２は、前部７、後部８、底部９、左側部１０、右側部１１及びフラップ１２を一体に成形したものである。底部９の外面には手掛け部２７が形成されている。フラップ１２は、ケース本体２の前部７の上端に薄肉部を介して一体に成形され、成形後に折り曲げられる。底部９の内面には、弾性を有する押さえ片１３が融着又はねじ止め等で取り付けられている。押さえ片１３は、Ｕ字形に屈曲され、一片が弾性を有するように他片をケース本体に固定されている。押さえ片は、弾性を有していればよく、ラップフィルムロール６ａを押さえる板状の部材をスポンジやばね等で支持したものでもよい。上蓋３は、ケース本体２とは別に成形され、後端をケース本体２の後部８の上端にヒンジ軸５２を介して回動可能に取り付けられている。上蓋３もケース本体２の後部８の上端に薄肉部を介して一体に成形した後、折り曲げるようにしてもよい。上蓋３の前部１５の先端には図示しない切刃が取り付けられる。中蓋４は、ケース本体２及び上蓋３とは別に成形され、後端に突片５３を有し、左右端にリブ５４が形成されている。リブ５４の外面には凸部５５が形成されている。
【００６７】
手掛け部２７は、底部９と後部８の角の近傍に、内側に向かって断面が三角形状に凹んだ形を有する。すなわち、手掛け部２７は、底部９と後部８の角からケース本体２の内側に向かって後部８と平行に延びる垂直面２７ａと、該垂直面２７の上端からケース本体２の外側に向かって斜めに延びて底部９と接続する傾斜面２７ｂとを有する。手掛け部２７を構成する後部８の下端には、図２３に示すように、手が掛かかりやすくするために、湾曲した切り欠き２７ｄを設けることにより、手が掛かかり易くしてもよい。
【００６８】
ラップフィルムケース５１は、ケース本体２にラップフィルムロール６ａを収容した後、中蓋４を取り付ける。中蓋４は、後端の突片５３をケース本体２の後部８に形成した係合孔５６に差し込み、リブ５４の凸部５５をケース本体２の左右側部１０，１１に形成した凹部又は孔に嵌合することでケース本体２の開口部５を覆うようにケース本体２に取り付けられる。これにより、中蓋４の前縁４ｃと、開口部５の前縁５ａとの間に隙間２１が形成される。
【００６９】
第４実施形態のラップフィルムケース３１´の使用方法及び作用は、第１実施形態と同様であるため、説明を省略する。また、手掛け部２７の構成及び作用は、図５に示すものと同様であるため、説明を省略する。
【００７０】
図２４は、図２２を参照して説明した第４実施形態の変形例のラップフィルムケース１５１´であり、手掛け部２７の形状のみが異なる。手掛け部２７は、底部９と後部８の角の近傍に、内側に向かって断面が円弧状に凹んだ形を有する。すなわち、手掛け部２７は、底部９と後部８の角からケース本体２の内側に向かって凹んで底部９に接続する円弧面２７ｅを有する。手掛け部２７の構成及び作用は、図５に示すものと同様であるため、説明を省略する。
【００７１】
＜第５実施形態＞
図２５（ａ）、（ｂ）は、本発明の第５実施形態のラップフィルムケース６１を示す。ラップフィルムケース６１では、底部９の全体が前部７に向かって低くなるように傾斜している。このため、ケース本体２に収容されたラップフィルムロール６ａは自然と前部７の内壁７ｂに接触した状態となり、図２５（ｂ）に示すように、ラップフィルム６が消費されて外径が小さくなっても、ラップフィルムロール６ａは前部７の内壁７ｂに接触している。手掛け部２７は、後部８の角からケース本体２の内側に向かって後部８と平行に延びる垂直面２７ａと、該垂直面２７の上端からケース本体２の外側に向かって前部７の下端まで斜めに延びる傾斜面２７ｂとを有する。底部９の傾斜角度は任意である。
【００７２】
押さえ片１３は、後部８の内壁８ｂに設けられ、ラップフィルムロール６ａを後方から前方に向かって押さえている。押さえ片１３は、底部９の内壁９ｂと後部８の内壁８ｂの間に跨った部分を上方に切り起こして形成されている。図２６に示すように、押さえ片１３の両端１３ａ、１３ｂは、先端１３ｃに向かって幅が広がるように傾斜している。このため、ラップフィルム６が消費される前の初期状態のラップフィルムロール６ａを押さえ片１３が押圧する押さえ幅Ｗ１よりも、ラップフィルム６が消費されて径が小さくなったラップフィルムロール６ａを押さえ片１３が押圧する押さえ幅Ｗ２のほうが大きくなる。切り起こしにより形成された押さえ片１３のばね力は、押さえ片１３が戻る方向に移動するにつれて小さくなるが、ラップフィルムロール６ａとの押さえ幅が大きくなるので、ラップフィルムロール６ａに対する接触圧力を維持することができる。このような形状を有する押さえ片１３は、本明細書で説明する全ての実施形態のラップフィルムケースに適用可能である。
【００７３】
ラップフィルムケース６１は、図２７の展開図に示すブランク６１Ａから、折り曲げ加工により、ケース本体２、上蓋３及び中蓋４を一体に同時に製造することができる。ラップフィルムケース６１のブランク６１Ａは、下記以外は、図７に示すラップフィルムケース１´のブランク１´Ａと基本的に同一である。底部９の外壁９ａに手掛け部２７を形成するために、外壁９ａに垂直外壁９ｃが設けられている。また、糊代２４ａ，２４ｂ、２５ａ，２５ｂは、底部９の外壁９ａ、前部７の外壁７ａに設けられている。押さえ片１３は、底壁９の内壁９ｂと後壁８の内壁８ｂとに跨って形成されている。押さえ片１３の形状は前述した通りである。
【００７４】
＜第６実施形態＞
以上説明した全ての実施形態においては、ラップフィルムロール６ａは、ラップフィルム６が消費されて径が小さくなるにつれて中心が移動する。ラップフィルムロール６ａには現在、２０ｍ巻きと５０ｍ巻きがあるが、特に５０ｍ巻きのラップフィルムロール６ａの場合、ラップフィルム６が消費されて残量がゼロになるまでの押さえ片１３の可動範囲が大きく、押さえ片１３の押さえ力が弱まる虞れがある。そこで、ラップフィルムロール６ａの中心が移動しないように、以下に説明する軸部材を設けることが好ましい。
【００７５】
図２８は、第６実施形態のラップフィルムケース７１を示す。ラップフィルムケース７１は、ラップフィルムロール６ａの両端に軸部材７２を有する。軸部材７２は、ケース本体２の左側部１０、右側部１１よりも小さいが、ケース本体２内では回転しない矩形板状の基部７３と、該基部７３の中央に設けられ、ラップフィルムロール６ａの芯管６ｂ内に挿入される円筒状の軸部７４とを有している。軸部７４は、ラップフィルムロール６ａの芯管６ｂの内径より僅かに小さい外径を有している。軸部７４は、円筒状に限らず、円柱状であってもよいし、図２９に示すように、４つのリブ７５を放射状に配設したものであってもよい。リブ７５の数は４に限らず、３でも５でもよく、その数は任意である。軸部材７２は、紙製が好ましいが、ラップフィルムロール６ａの芯管６ｂの内面に対して摩擦係数の大きい素材が好ましい。
【００７６】
軸部材７２をラップフィルムロール６ａの芯管６ｂの両端に挿入した状態でラップフィルムロール６ｂをケース本体２に収容すると、ラップフィルムロール６ｂはケース本体２の中心に芯出しされ、回転可能となる。ラップフィルムロール６ａは芯管６ｂの両端に軸部材７２を有するので、ラップフィルム６が消費されて径が小さくなっても、ラップフィルムロール６ａの中心は移動しない。このため、押さえ片１３の可動範囲が小さく、押さえ片１３の押さえ力が弱まる虞れがない。
【００７７】
軸部材７２の軸部７４の外径をラップフィルムロール６ａの芯管６ｂの内径に近づけ、例えば１ｍｍ程度の差を設けることで、ラップフィルムロール６ａの芯管６ｂの内面が新出し部材７２の軸部７４に摩擦接触し、且つ、芯管６ｂのガタ付きが無くなるため、ラップフィルム６の巻き戻りを抑えることができる。このため、軸部材７２を用いた場合は、ケース本体２の押さえ片１３を省略してもよい。
【００７８】
図３０は、ラップフィルム６の巻き戻り防止機能を付加した軸部材７６を示す。軸部材７６は、ケース本体２の左側部１０、左側部１１よりも小さいが、ケース本体２内では回転しない矩形板状の基部７７と、該基部７７の中央に設けられ、ラップフィルムロール６ａの芯管６ｂ内に挿入される円筒状の軸部７８と、該軸部７８の外周に放射状に配設された４つのリブ７９と、各リブ７９の間で軸部７８の外周に放射状に配設された弾性変形可能な複数の羽根８０とを有する。各リブ７９の先端を通る径は、ラップフィルムロール６ａの芯管６ｂの内径より僅かに小さい。これに対し、複数の羽根８０の先端を通る径は、ラップフィルムロール６ａの芯管６ｂの内径より僅かに大きい。羽根８０の軸方向の端部にはテーパ８０ａが設けられている。
【００７９】
軸部材７６をラップフィルムロール６ａの芯管６ｂの内部に装着するには、まず、リブ７９をに芯管６ｂに差し込み、軸周りに捩じるようにして差し込む。これにより、図３２に示すように、芯管６ｂより径が大きい羽根８０の先端部分が弾性変形して撓み、ラップフィルムロール６ａの芯管６ｂの内面に圧接した状態に装着される。この結果、ラップフィルムロール６ａは、図３２において時計周り方向（ラップフィルム６が引き出される方向）には回転するが、反時計周りには回転が阻止されるので、ラップフィルム６の巻き戻りが防止される。
【００８０】
なお、図３３に示すように、軸部材７６の羽根８０の数を多くすると、ラップフィルムロール６ａを十分に支持できるので、図３２のリブ７９を無くすことができる。
【００８１】
本発明は、以上の実施形態に限定されるものではなく、特許請求の範囲に記載した発明の範囲内で種々変更することができる。例えば、前記実施形態のケース本体、上蓋、中蓋の展開図は、折り曲げの開始と終わりを逆にしてもよい。
【００８２】
（残量確認用窓孔）
前記実施形態のラップフィルムケースは中蓋４を有しているため、上蓋３を開けても、ケース本体２の内部に収容したラップフィルム６がどれくらい残っているかが分からない。そこで、図３４に示すように、中蓋４の端部に透明フィルム８１で覆われた窓孔８２を設け、この窓孔８２を通して内部のフラップフィルムロール６ａの端面が見えるようにすることで、ラップフィルム６の残量を確認することができる。
【００８３】
（中蓋の開閉構造）
また、前記実施形態のラップフィルムケースは、ラップフィルム６の巻き戻りが無いため、使用開始時にラップフィルムロール６ａを収容した後は、通常、中蓋４を開ける必要はない。しかし、万一、ラップフィルム６の破れや引っ掛かり等の不具合が生じた場合に中蓋４を開けることができるようにするために、図３５に示すように、中蓋４の左側部１６と右側部１８に差し込み片８３を設け、この差し込み片８３を底部９の両端部に設けたスリット８４に差し込んでおき、必要に応じて、差し込み片８３をスリット８４から引き出して中蓋４を開放できるようにしてもよい。
【００８４】
（フラップのコーティング）
本発明では以上説明した押さえ片１３等のラップフィルム６の巻き戻り防止構造が採用されているため、ラップフィルム６が接触するフラップ１２の外面には、敢て、従来のような粘着層を塗布する必要はない、しかし、上蓋３を開けたときにラップフィルム６が上蓋３にとともに持ち上がって巻き戻りの原因となるのを防止するために、フラップ１２の外面と、上蓋３の内面とをラップフィルム６の材料であるポリ塩化ビニリデン等との親和性が異なる材料とすることが好ましい。
【００８５】
図２を参照して具体的に説明すると、ラップフィルム６を引き出して上蓋３を閉じた状態では、ラップフィルム６はフラップ１２の外面と上蓋３の前部１５の内面との間に挟まれる。ラップフィルム６を切断した後、ラップフィルム６をさらに引き出すために上蓋３を開けたときに、ラップフィルム６の端部がフラップ１２には付着するが上蓋３には付着しないようにする。すなわち、フラップ１２の外面はラップフィルム６と相性のよいコーティングがなされた面とし、上蓋３の内面はラップフィルム６との相性の悪い凹凸のある面（梨地）とすることが好ましい。図３に示すように、上蓋３とケース本体２を１枚のブランク１Ａから一体で形成する場合、ブランク１Ａの材料として、つるっとした表面とざらっとした裏面を有する板紙を使用し、フラップ１２の外面が表面となるようにすると、必然的に上蓋３の内面は裏面となる。このため、上蓋３を開けたとき、フラップ６は、つるっとした面のフラップ１２の外面には付着するが、ざらっとした面の上蓋３の内面には付着しないため、ラップフィルム６が上蓋３とともに持ち上がることがなくなり、ラップフィルム６の巻き戻りの要因を無くすことができる。
【００８６】
（切刃構造）
図４１に示すように、従来のラップフィルムケース１０１の切刃１０２は、上蓋１０３の前部１０４の先端に設けられ、刃先がケース本体１０５の前部１０６に平行に突出している。このような切刃１０２では、切刃１０２の幅方向中央部を押してラップフィルム１０７を切り離すとき、押圧力Ｆが切刃１０２の幅方向両端部に十分に伝わらないため、切刃１０２の両端部が浮き上がってラップフィルム１０７を押さえる力が弱い。このため、２点鎖線で示すように、ラップフィルム１０７の端から切り始める際に、ラップフィルム１０７の側端が幅方向中央部に寄せられて皺になったり、切刃１０２以外の箇所で引き裂かれることがあった。
【００８７】
図３６（ａ）は、ラップフィルム６を十分に押さえて確実に切り離すことができるラップフィルム容器９１である。切刃９２は、上蓋３の前部１５の先端に固着される基部９３と、該基部９３の両端部に基部９３から屈曲し、上蓋３を閉じた状態でケース本体２の前部７に向かって突出する突出部９４とを有している。図３６（ｂ）に示すように、基部９３の先端にはケース本体２の前部７に平行に突出するように鋸歯状の刃先９３ａが設けられている。突出部９４は切刃９２の両端に向かって突出寸法が大きくなるように傾斜している。突出部９４の先端にはケース本体２の前部７に直角に突出するように鋸歯状の刃先９４ａが設けられている。切刃９２の両端における突出部９４の先端は、ケース本体２が損傷するのを防止するために丸み９５が設けられている。
【００８８】
切刃９２に突出部９４を設けたために、図３７に示すように、上蓋３の前部１５とケース本体２の前部７の隙間が大きくなっている。このため、ケース本体２の前部７の下端部に当て板９６が設けられ、この当て板９６に切刃９２を覆う図示しないジッパーが貼り付けられる。
【００８９】
切刃９２は、図３８（ａ）に示すように、基部９３と突出部９４とを平板から切断し、図３８（ｂ）に示すように、突出部９４を９０°折り曲げることにより形成される。突出部９４の幅ｓは２０〜２０ｍｍ、突出寸法ｔは４〜５ｍｍが好ましい。突出部９４の折り曲げ角は、９０°に限らないが、４５〜９０°の範囲にすればよい。
【００９０】
以上のように突出部９４を有する切刃９２を備えたラップフィルムケース９１において、図３９に示すように、切刃９２の中央部を押してラップフィルム６を切り離すとき、図４０（ａ）に示すように、切刃９２の中央部とケース本体２の前部７の間に突出部９４の突出寸法だけ大きな隙間が形成されているため、図４０（ｂ）に示すように、切刃９２が下向きの凸に撓み、押圧力Ｆが両端部の押圧力ｆ１，ｆ２に分散され、突出部９４がケース本体２の前部７に押し付けられる。この結果、突出部９４とケース本体２の前部７との間のラップフィルム６は、ラップフィルム６の端から切り始めても、ラップフィルム６の側端が幅方向中央部に寄せられて皺になったり、切刃９２以外の箇所で引き裂かれることが防止され、確実に切り離すことができる。
【符号の説明】
【００９１】
１…ラップフィルムケース
１´…ラップフィルムケース
２…ケース本体
３…上蓋
４…中蓋
４ｃ…前縁
５…開口部
５ａ…前縁
６…ラップフィルム
６ａ…ラップフィルムロール
６ｂ…芯管
７…前部
８…後部
９…底部
１０…左側部
１１…右側部
１３…押さえ片
１４…上部
１５…前部
１６…左側部
１７…右側部
１８…切刃
１９…左側部
２０…右側部
２１…隙間
２２，２３，２４，２５…糊代
２６ａ，２６ｂ…係合片
２７…手掛け部
３１…ラップフィルムケース
３１´…ラップフィルムケース
３２…背壁片
４１…ラップフィルムケース
４１´…ラップフィルムケース
４２…外箱体
４３…前部
４４…後部
４５…底部
４６…左側部
４７…右側部
４８，４９…糊代
５１…ラップフィルムケース
５２…ヒンジ軸
５３…突片
５４…リブ
５５…凸部
５６…係合孔
６１…ラップフィルムケース
７１…ラップフィルムケース
７２…軸部材
７３…基部
７４…軸部
７５…リブ
７６…軸部材
７７…基部
７８…軸部
７９…リブ
８０…羽根
８１…透明フィルム
８２…窓孔
８３…差し込み片
８４…スリット
９１…ラップフィルムケース
９２…切刃
９３…基部
９４…突出部
９５…丸み
９６…当て板
【図１】
2017206281.tif 000003
【図２】
2017206281.tif 000004
【図３】
2017206281.tif 000005
【図４】
2017206281.tif 000006
【図５】
2017206281.tif 000007
【図５Ａ】
2017206281.tif 000008
【図６】
2017206281.tif 000009
【図６Ａ】
2017206281.tif 000010
【図７】
2017206281.tif 000011
【図７Ａ】
2017206281.tif 000012
【図８】
2017206281.tif 000013
【図９】
2017206281.tif 000014
【図１０】
2017206281.tif 000015
【図１１】
2017206281.tif 000016
【図１２】
2017206281.tif 000017
【図１３】
2017206281.tif 000018
【図１４】
2017206281.tif 000019
【図１５】
2017206281.tif 000020
【図１６】
2017206281.tif 000021
【図１７】
2017206281.tif 000022
【図１８】
2017206281.tif 000023
【図１９】
2017206281.tif 000024
【図２０】
2017206281.tif 000025
【図２１】
2017206281.tif 000026
【図２２】
2017206281.tif 000027
【図２３】
2017206281.tif 000028
【図２４】
2017206281.tif 000029
【図２５】
2017206281.tif 000030
【図２６】
2017206281.tif 000031
【図２７】
2017206281.tif 000032
【図２８】
2017206281.tif 000033
【図２９】
2017206281.tif 000034
【図３０】
2017206281.tif 000035
【図３１】
2017206281.tif 000036
【図３２】
2017206281.tif 000037
【図３３】
2017206281.tif 000038
【図３４】
2017206281.tif 000039
【図３５】
2017206281.tif 000040
【図３６】
2017206281.tif 000041
【図３７】
2017206281.tif 000042
【図３８】
2017206281.tif 000043
【図３９】
2017206281.tif 000044
【図４０】
2017206281.tif 000045
【図４１】
2017206281.tif 000046
【手続補正書】
【提出日】平成28年9月26日(2016.9.26)
【手続補正１】
【補正対象書類名】特許請求の範囲
【補正対象項目名】全文
【補正方法】変更
【補正の内容】
【特許請求の範囲】
【請求項１】
前部、後部、底部、左側部、右側部、及び上方に開口する開口部を有し、前記開口部からラップフィルムロールを収容するケース本体と、前記ケース本体の前記後部の上端に設けられた上蓋とを備え、前記上蓋の前端から延設された前部の先端に前記ケース本体から引き出されたラップフィルムを切断する切刃を備えたラップフィルムケースにおいて、
前記ケース本体と前記上蓋の間に前記開口部を覆う中蓋が設けられ、前記中蓋の後端が前記後部の上端と一体に形成され、前記中蓋の前縁と前記前部の上端との間に前記ラップフィルを引き出す隙間が設けられ、
前記ラップフィルムロールの両端に、前記ケース本体内に収容される矩形板状の基部と、前記基部の中央に設けられ、前記ラップフィルムロールの芯管に挿入される円筒状の軸部とを有する軸部材が設けられていることを特徴とするラップフィルムケース。
【請求項２】
前部、後部、底部、左側部、右側部、及び上方に開口する開口部を有し、前記開口部からラップフィルムロールを収容するケース本体と、前記ケース本体の前記後部の上端に設けられた上蓋とを備え、前記上蓋の前端から延設された前部の先端に前記ケース本体から引き出されたラップフィルムを切断する切刃を備えたラップフィルムケースにおいて、
前記ケース本体と前記上蓋の間に前記開口部を覆う中蓋が設けられ、前記中蓋の後端が前記後部の上端と一体に形成され、前記中蓋の前縁と前記前部の上端との間に前記ラップフィルを引き出す隙間が設けられ、
前記ラップフィルムロールの両端に、
前記ケース本体内に収容される矩形板状の基部と、
前記基部の中央に設けられ、前記ラップフィルムロールの芯管に挿入された軸部と、
前記軸部の外周に放射状に配設された弾性変形可能な複数の羽根とを有する軸部材が設けられ、
前記複数の羽根は、先端を通る径が前記ラップフィルムロールの前記芯管の内径より大きく、前記ラップフィルムロールの芯管に挿入された状態で弾性変形して撓み、前記複数の羽根の先端が前記ラップフィルムロールの前記芯管の内面に圧接していることを特徴とするラップフィルムケース。
【請求項３】
前記ケース本体の底部に凹んだ形を有する手掛け部が設けられていることを特徴とする請求項１又は２に記載のラップフィルムケース。
【請求項４】
前記切刃は、前記上蓋の先端に固着される基部と、前記基部の両端部に前記基部から屈曲し、前記上蓋を閉じた状態で前記ケース本体に向かって突出する突出部とを有することを特徴とする請求項１から３いずれかに記載のラップフィルムケース。
【請求項５】
前記中蓋は内壁と外壁の２重壁からなることを特徴とする請求項１から４のいずれかに記載のラップフィルムケース。
【請求項６】
前記中蓋の前縁は、前記内壁と外壁の間の折り返し端であることを特徴とする請求項５に記載のラップフィルムケース。
【請求項７】
前記中蓋は、前記ケース本体と一体に形成されていることを特徴とする請求項１から６のいずれかに記載のラップフィルムケース。
【請求項８】
前記上蓋は、前記ケース本体と一体に形成されていることを特徴とする請求項１から７のいずれかに記載のラップフィルムケース。
【請求項９】
前記上蓋は、後端縁に背壁片を有し、前記背壁片は前記ケース本体の後部の外面に貼り付けられていることを特徴とする請求項１から７のいずれかに記載のラップフィルムケース。
【請求項１０】
前記上蓋は、後端縁に外箱体を有し、前記外箱体は前記ケース本体を収容していることを特徴とする請求項１から７のいずれかに記載のラップフィルムケース。
【請求項１１】
前記中蓋に前記ラップフィルムの残量を確認するための窓穴が形成されていることを特徴とする請求項１から１０のいずれかに記載のラップフィルムケース。
【手続補正２】
【補正対象書類名】明細書
【補正対象項目名】００１５
【補正方法】変更
【補正の内容】
【００１５】
以上の課題を解決するための手段として、本発明は、
（１）前部、後部、底部、左側部、右側部、及び上方に開口する開口部を有し、前記開口部からラップフィルムロールを収容するケース本体と、前記ケース本体の前記後部の上端に設けられた上蓋とを備え、前記上蓋の前端から延設された前部の先端に前記ケース本体から引き出されたラップフィルムを切断する切刃を備えたラップフィルムケースにおいて、
前記ケース本体と前記上蓋の間に前記開口部を覆う中蓋が設けられ、前記中蓋の後端が前記後部の上端と一体に形成され、前記中蓋の前縁と前記前部の上端との間に前記ラップフィルを引き出す隙間が設けられ、
前記ラップフィルムロールの両端に、前記ケース本体内に収容される矩形板状の基部と、
前記基部の中央に設けられ、前記ラップフィルムロールの芯管に挿入される円筒状の軸部とを有する軸部材が設けられている。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】変更
【補正の内容】
【００１９】
前記課題を解決するための手段として、本発明は、
（２）前部、後部、底部、左側部、右側部、及び上方に開口する開口部を有し、前記開口部からラップフィルムロールを収容するケース本体と、前記ケース本体の前記開口部の後縁に設けられた上蓋とを備え、前記上蓋の前端から延設された前部の先端に前記ケース本体から引き出された前記ラップフィルムを切断する切刃を備えたラップフィルムケースにおいて、
前記ケース本体と前記上蓋の間に前記開口部を覆う中蓋が設けられ、前記中蓋の後端が前記後部の上端と一体に形成され、前記中蓋の前縁と前記開口部の前縁との間に前記ラップフィルを引き出す隙間が設けられ、前記ラップフィルムロールの両端に、
前記ケース本体内に収容される矩形板状の基部と、
前記基部の中央に設けられ、前記ラップフィルムロールの芯管に挿入される軸部と、
前記軸部の外周に放射状に配設された弾性変形可能な複数の羽根とを有する軸部材が設けられ、
前記複数の羽根は、先端を通る径が前記ラップフィルムロールの前記芯管の内径より大きく、前記ラップフィルムロールの芯管に挿入された状態で弾性変形して撓み、前記複数の羽根の先端が前記ラップフィルムロールの前記芯管の内面に圧接している。
これにより、ラップフィルムロールは、ラップフィルムが引き出される方向には回転するが、ラップフィルムが巻き戻される方向には回転しないので、ラップフィルムが巻き戻るのを確実に防止できる。
【手続補正６】
【補正対象書類名】明細書
【補正対象項目名】００２０
【補正方法】変更
【補正の内容】
【００２０】
（３）前記ケース本体の底部に凹んだ形を有する手掛け部が設けられている。
これにより、ケース本体を持つ手の指先を手掛け部に引っ掛けることで、女性の小さな手でも把持し易すく、手から滑り落ちることもない。
手掛け部は、ケース本体の底部と後部の角の近傍に設けられている。手掛け部は、ケース本体の内側に向かって断面が三角形状に凹んだ形を有することが好ましい。具体的には、手掛け部は、底部と後部の角からケース本体の内側に向かって後部と平行に延びる垂直面と、該垂直面の上端からケース本体の外側に向かって斜めに延びる傾斜面とを有する。手掛け部は、ケース本体の内側に向かって断面が円弧状に凹んだ形を有していてもよい。具体的には、手掛け部は、底部と後部の角からケース本体の内側に向かって凹んで底部に接続する円弧面を有する。
【手続補正７】
【補正対象書類名】明細書
【補正対象項目名】００２１
【補正方法】変更
【補正の内容】
【００２１】
（４）前記切刃は、前記上蓋の先端に固着される基部と、前記基部の両端部に前記基部から屈曲し、前記上蓋を閉じた状態で前記ケース本体に向かって突出する突出部とを有する。
これにより、切刃の幅方向中央部を押してラップフィルムを切り離すとき、切刃が下向きの凸に撓み、中央部の押圧力が両端部に分散され、突出部がケース本体に押し付けられる。この結果、突出部とケース本体との間のラップフィルムは、ラップフィルムの端から切り始めても、ラップフィルムの側端が幅方向中央部に寄せられて皺になったり、切刃以外の箇所で引き裂かれることが防止され、確実に切り離すことができる。
【手続補正８】
【補正対象書類名】明細書
【補正対象項目名】００２２
【補正方法】変更
【補正の内容】
【００２２】
（５）前記中蓋は内壁と外壁の２重壁からなる。
これにより、ラップフィルムケースの剛性がさらに高くなり、耐久性がある。
また、中蓋の前縁と開口部の前縁との間のラップフィルを引き出す隙間が開きにくく、ラップフィルムを引き出すときにラップフィルムが裂けたり、しわが重なるのを防止できる。
【手続補正９】
【補正対象書類名】明細書
【補正対象項目名】００２３
【補正方法】変更
【補正の内容】
【００２３】
（６）前記中蓋の前縁は、前記内壁と外壁の間の折り返し端である。
これにより、中蓋の前縁の剛性が高くなり、ラップフィルムケースの剛性がさらに高くなるとともに、中蓋の前縁と開口部の前縁との間の隙間でのラップフィルムの滑りがよくなり、ラップフィルムをスムーズに引き出せる。
【手続補正１０】
【補正対象書類名】明細書
【補正対象項目名】００２４
【補正方法】変更
【補正の内容】
【００２４】
（７）前記中蓋は、前記ケース本体と一体に形成されている。これにより、ラップフィルムケースの剛性がさらに高くなり、耐久性がさらに向上する。
【手続補正１１】
【補正対象書類名】明細書
【補正対象項目名】００２５
【補正方法】変更
【補正の内容】
【００２５】
（８）前記上蓋は、前記ケース本体と一体に形成されていることが好ましい。これにより、上蓋をケース本体と同時に製造することができる。
（９）前記上蓋は、後端縁に背壁片を有し、前記背壁片は前記ケース本体の後部の外面に貼り付けられていてもよい。これにより、ケース本体の後部の剛性を高めることができるとともに、上蓋の付け根を堅牢にすることができる。
（１０）前記上蓋は、後端縁に外箱体を有し、前記外箱体は前記ケース本体を収容している。これにより、ラップフィルムケースは２重構造となり、堅牢で、酷使に耐えることができる。また、外箱体をケース本体と異なる材料にし、手触りや耐水性を良くすることができる。
【手続補正１２】
【補正対象書類名】明細書
【補正対象項目名】００２６
【補正方法】変更
【補正の内容】
【００２６】
本発明によれば、ラップフィルムの巻き戻りがないので、安心して使用できる。また、上蓋が半開きになっても虫や埃が侵入しないので、衛生的である。また、湿気に強く、破れたり変形することがなく、堅牢である。さらに、ラップフィルムを引き出しやすく、必要長さに素早く切断して、食品を迅速に包装できる。また、中蓋の上面に使用方法や注意事項等の雑多な表示を行えるので、ケース本体や上蓋の外面への表示を簡潔に行い、審美性のあるデザインを行える。また、中蓋と開口部の前縁の間からラップフィルムが引き出されているので、使用開始時にラップフィルムをセットする必要がない。さらには、手掛け部があるため、女性の小さな手でも把持し易い等の優れた効果を有している。